(57)【要約】      （修正有）【課題】いきなり大音量でコンテンツが再生されることを防止し、使い勝手を向上させた車載用電子機器を提供する。【解決手段】不正コンテンツ検出部によって不正コンテンツを検出した場合には、表示装置における音声再生規制を実行するとともに、この音声再生規制中に、音量変更操作が実行された時には、前記表示装置に対して、音声再生規制中に音量変更操作が実行されたことを報知する表示をさせる構成としたものであるので、不正コンテンツの再生による音声再生規制が実行されたこと、およびその実行中に音量変更操作も実行されたことが表示されるようになる。このため、次のコンテンツの再生時には、音量の修正を行うことが出来、その結果として、いきなり大音量出力がなされることは無く、使い勝手の良いものとなる。【選択図】図２
2013206497.tif 000002
【特許請求の範囲】
【請求項１】
表示装置と、この表示装置に接続された制御装置と、この制御装置に接続された再生装置と、前記制御装置と再生装置の少なくとも一方に設けた不正コンテンツ検出部とを備え、前記制御装置は、前記不正コンテンツ検出部によって不正コンテンツを検出した場合には、前記表示装置における音声再生規制を実行するとともに、この音声再生規制中に、音量変更操作が実行された時には、前記表示装置に対して、音声再生規制中に音量変更操作が実行されたことを報知する表示をさせる構成とした車載用電子機器。
【請求項２】
制御装置は、表示装置に音量変更操作実行表示と、音量変更操作実行の確認を行う確認操作部を表示させる構成とした請求項１に記載の車載用電子機器。
【請求項３】
制御装置は、確認操作部の操作後に、再生動作を開始する構成とした請求項２に記載の車載用電子機器。
【請求項４】
前席用表示装置および後席用表示装置と、これらの前席用表示装置および後席用表示装置に接続された制御装置と、この制御装置に接続された再生装置と、前記制御装置と再生装置の少なくとも一方に設けた不正コンテンツ検出部とを備え、前記制御装置は、前記不正コンテンツ検出部によって不正コンテンツを検出した場合には、前記前席用表示装置および後席用表示装置における音声再生規制を実行するとともに、この音声再生規制中に、音量変更操作が実行された時には、前記前席用表示装置と後席用表示装置のうち、少なくとも前席用表示装置に対して、音量変更操作の実行を報知する音量変更操作実行表示をさせる構成とした請求項１から３のいずれか一つに記載の車載用電子機器。
【請求項５】
制御装置は、前席用表示装置を制御するフロント制御部と、後席用表示装置を制御するリア制御部とにより構成し、これらのフロント制御部とリア制御部を接続するとともに、前記リア制御部に、不正コンテンツ検出部と再生装置を接続した請求項４に記載の車載用電子機器。
【発明の詳細な説明】
【技術分野】
【０００１】
本発明は、表示装置および再生装置を備えた車載用電子機器に関するものである。
【背景技術】
【０００２】
この種の車載用電子機器は、例えばワンボックスカーに搭載され、後席において、後席用表示装置により各種コンテンツを視聴することが出来るようになっている。
【０００３】
近年、このような車載用電子機器においても、不正コンテンツの再生規制を行うことが求められるようになっているので、その対策としては、不正コンテンツの再生を検出すると、例えば音声出力を停止する不正コンテンツ対策技術を採用することが検討される（例えば、下記特許文献１）。
【先行技術文献】
【特許文献】
【０００４】
【特許文献１】国際公開第２００９／０５０８８４号
【発明の概要】
【発明が解決しようとする課題】
【０００５】
前記不正コンテンツ対策技術を車載用電子機器に活用した場合、不正コンテンツの音量再生規制（例えば無音状態化）は確実に行えるのであるが、この場合、次のような課題が発生する。
【０００６】
すなわち、例えばワンボックスカーの後席において、後席用表示装置により各種コンテンツを視聴しているのは、子供達である場合が多く、その場合、子供達は、何故、コンテンツの再生中にいきなり無音状態になったのかが理解できない。
【０００７】
そのため、子供達は、この音声再生規制中に、例えばリモコンにて、音量変更操作（音量を大きくする）を実行することが多くなる。
【０００８】
また、子供達が、運転中の運転手に対して、無音状態になったことを伝え、その対策を運転手に求めることになる。
【０００９】
しかしながら、子供達からの無音状態への対策を求められても、運転手が運転中であれば、後席の状況を確認することができず、結局、運転手も例えばリモコンにて音量変更操作（音量を大きくする）を実行ことになることも多い。
【００１０】
このような状況において、子供達や運転手が音量変更操作（音量を大きくする）を実行しても、音量再生規制（例えば無音状態化）中であるので、音声出力は行われず、その結果として、そのコンテンツを記録した光ディスクが不良であると判断し、次の光ディスクを再生することも良くある。
【００１１】
しかしながら、このときには、音量変更操作（音量を大きくする）が実行されているので、いきなり大音量の音声出力がなされることとなり、子供達や運転手が驚く状態となり、使い勝手の悪いものとなる。
【００１２】
そこで、本発明は、使い勝手を良くすることを目的とするものである。
【課題を解決するための手段】
【００１３】
そしてこの目的を達成するために本発明は、表示装置と、この表示装置に接続された制御装置と、この制御装置に接続された再生装置と、前記制御装置と再生装置の少なくとも一方に設けた不正コンテンツ検出部とを備え、前記制御装置は、前記不正コンテンツ検出部によって不正コンテンツを検出した場合には、前記表示装置における音声再生規制を実行するとともに、この音声再生規制中に、音量変更操作が実行された時には、前記表示装置に対して、音声再生規制中に音量変更操作が実行されたことを報知する表示をさせる構成とし、これによって所期の目的を達成するものである。
【発明の効果】
【００１４】
以上のように本発明は、表示装置と、この表示装置に接続された制御装置と、この制御装置に接続された再生装置と、前記制御装置と再生装置の少なくとも一方に設けた不正コンテンツ検出部とを備え、前記制御装置は、前記不正コンテンツ検出部によって不正コンテンツを検出した場合には、前記表示装置における音声再生規制を実行するとともに、この音声再生規制中に、音量変更操作が実行された時には、前記表示装置に対して、音声再生規制中に音量変更操作が実行されたことを報知する表示をさせる構成としたものであるので、使い勝手の良いものとなる。
【００１５】
すなわち、本発明においては、前記不正コンテンツ検出部によって不正コンテンツを検出した場合には、前記表示装置における音声再生規制を実行するとともに、この音声再生規制中に、音量変更操作が実行された時には、前記表示装置に対して、音声再生規制中に音量変更操作が実行されたことを報知する表示をさせる構成としたものであるので、不正コンテンツの再生による音声再生規制が実行されたこと、およびその実行中に音量変更操作も実行されたことが表示されるようになる。
【００１６】
このため、次のコンテンツの再生時には、音量の修正を行うことが出来、その結果として、いきなり大音量出力がなされることは無く、使い勝手の良いものとなるのである。
【図面の簡単な説明】
【００１７】
【図１】本発明の一実施形態にかかる車載用電子機器を搭載した自動車を示す図
【図２】同車載用電子機器操作装置の制御ブロック図
【図３】同動作を示す図
【図４】同動作フローチャート
【発明を実施するための形態】
【００１８】
以下、本発明の一実施形態を、添付図面を用いて説明する。
【００１９】
（実施の形態１）
図１において、１は自動車で、車内２の前方には運転席３と助手席（図示せず）が設けられ、車内２の後方には後席４、５が設けられている。
【００２０】
また、車内２の運転席３前方には前席用電子機器６が配置され、さらに車内２の運転席３と後席４間の天井部分には後席用電子機器７が配置されている。
【００２１】
つまり、前席用電子機器６は、主に運転席３と助手席（図示せず）で、視聴するものであり、また後席用電子機器７は、主に後席４、５で、視聴するものである。
【００２２】
前記前席用電子機器６は図２に示すように、表示部８と、この表示部８に接続されたフロント制御部９と、このフロント制御部９に接続された操作部１０、Ｂｌｕｅｔｏｏｔｈ（登録商標）方式の通信部１１、増幅器１２を備えている。
【００２３】
また、増幅器１２には４本のスピーカ１３が接続されているが、その内の２本は車内２の運転席３前方に配置され、残りの２本は車内２の後方に配置されている。
【００２４】
一方、後席用電子機器７は、図２に示すように、表示部１４と、この表示部１４に表示回路１５を介して接続されたリア制御部１６と、このリア制御部１６に接続されたＢｌｕｅｔｏｏｔｈ（登録商標）方式の通信部１７、赤外線送受信部１８、再生装置１９を備えている。
【００２５】
なお、通信部１１、１７間では、再生装置１９で再生した音声が電送され、これによりスピーカ１３から音声出力が行えるようになっている。
【００２６】
また、再生装置１９内には不正コンテンツ検出部２０が設けられており、これにより不正コンテンツ検出部２０は再生装置１９と、リア制御部１６に接続された状態となっている。
【００２７】
なお、赤外線送受信部１８はリモコン２１で再生装置１９を操作するためと、再生装置１９からの音声をヘッドフォン２２に送信するための設けられたものである。
【００２８】
た、フロント制御部９は自動車１から車速パルスが供給され、それにて現在走行中か、停車中が判断されるようになっている。
【００２９】
さらに、このフロント制御部９には、自動車１からスイッチ信号が供給され、それにて前席用電子機器６と後席用電子機器７が起動されるようになっている。
【００３０】
さらにまた、フロント制御部９とリア制御部１６は、車内２の通信バスによって接続された状態となっている。
【００３１】
以上の構成において、後席４、５にて再生装置１９による光ディスク（図示せず）の視聴を行う場合について説明する。
【００３２】
再生装置１９に光ディスクを装着し、再生状態にすると（図４のＳ１）、リア制御部１６は先ずは、音量変更操作監視フラグをクリアする（図４のＳ２）。
【００３３】
続いて、リア制御部１６は、光ディスクが再生状態にあるか、否かを判定し（図４のＳ３）、再生状態にある時には、次に光ディスクの排出ボタン（図示せず）が操作されたか、否かを判定し（図４のＳ４）、排出ボタン（図示せず）が操作されていなければ、次に不正コンテンツの検出を行う（図４のＳ５）。
【００３４】
そして、不正コンテンツの検出が行われると、再生を停止するか、否かの判定が行われる（図４のＳ６）。
【００３５】
この（図４のＳ６）において、未だ不正コンテンツの再生に気づいていないので、再生停止操作は行われず、その結果、リア制御部１６は、次に、不正コンテンツを検出し、かつ音声の停止状態（ミュート状態）か、否かを判定するようにしている（図４のＳ７）。
【００３６】
そして、音声の停止状態（ミュート状態）ではないと判断した場合には、リア制御部１６は、フロント制御部９を介してスピーカ１３からの音声出力を停止させてしまう（図４のＳ８）。
【００３７】
続いて、リア制御部１６は、この音声停止状態（ミュート状態）中に、音量変更操作が行われたか、否かを判定し（図４のＳ９）、変更が実行されると、音量変更操作監視フラグをセットする（図４のＳ１０）。
【００３８】
つまり、音声停止状態での再生が継続的に実行されるのである。
【００３９】
すると、この無音状態の再生に嫌気をさした使用者が再生停止操作を実行することになり（図４のＳ１１）、次に光ディスクの排出操作が実行される（図４のＳ１２）。
【００４０】
すると、光ディスクは排出される（図４のＳ１３）。
【００４１】
続いて、新規の光ディスクが挿入されると（図４のＳ１４）、周知の光ディスクの駆動（図４のＳ１５）、光ディスク種別判別（図４のＳ１６）が実行される。
【００４２】
次に、リア制御部１６は、音量変更操作監視フラグがセットされているか、否かの判定を行う（図４のＳ１７）。
（図４のＳ１７）において、音量変更操作監視フラグがセットされていると判定された時には、リア制御部１６、およびフロント制御部９によって、表示部８、１４に図３に示す表示を行う（図４のＳ１８）。
【００４３】
つまり、不正コンテンツの再生による音声再生規制が実行されたこと、およびその実行中に音量変更操作も実行されたこと、および音量の確認を行うことが表示され、報知される。
【００４４】
また、リア制御部１６およびフロント制御部９は、表示部８、１４に音量変更操作実行の確認を行う確認操作部２３も、上記報知内容とともに、表示させるようにしている。
【００４５】
このため、表示部８、１４のいずれか一方の確認操作部２３が操作されると（図４のＳ１９）、再生が開始され、（Ｓ１）へと戻る（図４のＳ２０）。
【００４６】
(図４のＳ１７)において、音量変更操作監視フラグがセットされていないと判定された時には、光ディスクの再生を開始し（Ｓ１）へ戻る。（図４のＳ２０）
そして、今回の光ディスクには不正コンテンツが存在しない場合には、（図４のＳ４）において、音声再生規制状態の検出へと進み（図４のＳ２１）、音声再生規制を解除する（図４のＳ２２）。
【００４７】
以上のごとく本実施形態においては、不正コンテンツ検出部２０によって不正コンテンツを検出した場合には、表示部８、１４における音声再生規制を実行するとともに、この音声再生規制中に、音量変更操作が実行された時には、表示部８、１４に対して、音声再生規制中に音量変更操作が実行されたことを報知する表示をさせる構成としたものであるので、不正コンテンツの再生による音声再生規制が実行されたこと、およびその実行中に音量変更操作も実行されたことが表示されるようになる。
【００４８】
このため、次のコンテンツの再生時には、音量の修正を行うことが出来、その結果として、いきなり大音量出力がなされることは無く、使い勝手の良いものとなるのである。
【産業上の利用可能性】
【００４９】
以上のように本発明は、不正コンテンツ検出部によって不正コンテンツを検出した場合には、表示装置における音声再生規制を実行するとともに、この音声再生規制中に、音量変更操作が実行された時には、前記表示装置に対して、音声再生規制中に音量変更操作が
実行されたことを報知する表示をさせる構成としたものであるので、不正コンテンツの再生による音声再生規制が実行されたこと、およびその実行中に音量変更操作も実行されたことが表示されるようになる。
【００５０】
このため、次のコンテンツの再生時には、音量の修正を行うことが出来、その結果として、いきなり大音量出力がなされることは無く、使い勝手の良いものとなるのである。
【００５１】
したがって、各種車載用電子機器としての活用が期待されるものとなる。
【符号の説明】
【００５２】
１  自動車
２  車内
３  運転席
４  後席
５  後席
６  前席用電子機器
７  後席用電子機器
８  表示部
９  フロント制御部
１０  操作部
１１  通信部
１２  増幅器
１３  スピーカ
１４  表示部
１５  表示回路
１６  リア制御部
１７  通信部
１８  赤外線送受信部
１９  再生装置
２０  不正コンテンツ検出部
２１  リモコン
２２  ヘッドフォン
２３  確認操作部
【図１】
2013206497.tif 000003
【図２】
2013206497.tif 000004
【図３】
2013206497.tif 000005
【図４】
2013206497.tif 000006